(57)【要約】      （修正有）【課題】スリップギアを有する動力伝達構成の部品点数を少なくする。【解決手段】ギア地板11に軸支され、ギア穴を具備する第一ギア101と、ギア穴に嵌合挿入されるギア軸を有する第二ギア102を有し、第一ギアの第一斜歯と第二ギアの第二斜歯は当接可能に保持され、第一斜歯と第二斜歯は第二ギアの当接軸102aをギアカバー108に挿入することにより保持され、ギアカバー上の位置決め手段108aにギア押圧手段104を保持し、ギア押圧手段は当接軸を押圧することで第一ギアと第二ギアが一体的に回転し、所定トルク以上の動力伝達で第一斜歯と第二斜歯が離間して第一ギア手段と第二ギアの動力伝達を解除し、ギアカバーのギア押圧手段と当接軸との軸線とは不連続な位置に、ギアの回転を検出する光学検出手段110を配置した。【選択図】図２ａ
2015125312.tif 000002
【特許請求の範囲】
【請求項１】
ギア地板手段(11)と、前記ギア地板手段(11)に軸支され、ギア穴手段(101a)を具備する第一ギア手段(101)と、前記ギア穴手段(101a)に嵌合挿入されるギア軸手段(102b)を有する第二ギア手段(102)と、前記第一ギア手段(101)には第一斜歯手段(101b)を有し、前記第二ギア手段(102)には第二斜歯手段(102c)を有し、前記第一斜歯手段(101b)と前記第二斜歯手段(102c)は当接可能に保持され、前記第二ギア手段(102)に具備される当接軸(102a)をギアカバー手段(108)に挿入することにより保持し、
前記ギアカバー手段(108)上に具備される位置決め手段(108a)に位置決め可能にギア押圧手段(104)を保持し、前記ギア地板手段(11)に対し前記ギアカバー手段(108)及び前記ギア押圧手段(104)の両方を同時にビス固定され、前記ギア押圧手段(104)は前記当接軸(102a)を押圧することで第一ギア手段(101)と第二ギア手段(102)が一体的に回転し、所定トルク以上のトルクが伝達されたときに前記第一斜歯手段(101b)と前記第二斜歯手段(102c)が離間して前記第一ギア手段(101)と前記第二ギア手段(102)の動力伝達を解除し、前記ギアカバー手段(108)にはギアの回転を検出する光学検出手段(110)を具備し、前記ギア押圧手段(104)と前記当接軸(102a)との軸線とは不連続な位置に前記光学検出手段(110)を配置し、前記ギア押圧手段(104)には前記光学検出手段(110)が脱落しないように保持する光学検出保持手段(104a)が一体で具備されることを特徴とする動力伝達機構。
【請求項２】
ギア地板手段(11)と、前記ギア地板手段(11)に軸支され、ギア軸手段を具備する第一ギア手段(101)と、前記ギア軸手段が嵌合挿入されるギア穴手段を有する第二ギア手段(102)と、前記第一ギア手段(101)には第一斜歯手段(101b)を有し、前記第二ギア手段(102)には第二斜歯手段(102c)を有し、前記第一斜歯手段(101b)と前記第二斜歯手段(102c)は当接可能に保持され、前記第二ギア手段(102)に具備される当接軸(102a)をギアカバー手段(108)に挿入することにより保持し、
前記ギアカバー手段(108)上に具備される位置決め手段(108a)に位置決め可能にギア押圧手段(104)を保持し、前記ギア地板手段(11)に対し前記ギアカバー手段(108)及び前記ギア押圧手段(104)の両方を同時にビス固定され、前記ギア押圧手段(104)は前記当接軸(102a)を押圧することで第一ギア手段(101)と第二ギア手段(102)が一体的に回転し、所定トルク以上のトルクが伝達されたときに前記第一斜歯手段(101b)と前記第二斜歯手段(102c)が離間して前記第一ギア手段(101)と前記第二ギア手段(102)の動力伝達を解除し、前記ギアカバー手段(108)にはギアの回転を検出する光学検出手段(110)を具備し、前記ギア押圧手段(104)と前記当接軸(102a)との軸線とは不連続な位置に前記光学検出手段(110)を配置し、前記ギア押圧手段(104)には前記光学検出手段(110)が脱落しないように保持する光学検出保持手段(104a)が一体で具備されることを特徴とする動力伝達機構。
【請求項３】
前記光学検出保持手段(104a)近傍にギア地板手段(11)とギア押圧手段(104)を締結するビス固定手段(109)が配置されていることを特徴とする請求項１又は請求項２に記載の動力伝達機構。
【請求項４】
前記位置決め手段(108a)の一つは前記当接軸(102a)近傍に配置し、前記ギア押圧手段(104)には位置決め手段(108a)が挿入される長穴手段(104b)が具備され、前記第一斜歯手段(101b)と第二斜歯手段(102c)が離間した場合でも前記位置決め手段(108a)から前記長穴手段(104b)は脱落しないように保持されることを特徴とする請求項１又は請求項２に記載の動力伝達機構。
【請求項５】
請求項１乃至請求項４の何れか１項に記載の動力伝達機構を備えることを特徴とする撮影レンズ鏡筒。
【発明の詳細な説明】
【技術分野】
【０００１】
本発明は、デジタルカメラ等に備えられた撮影レンズ鏡筒を駆動する動力伝達機構及び動力伝達機構を有する撮影レンズ鏡筒に関するものである。
【背景技術】
【０００２】
写真撮影をする道具としてデジタルカメラが多く使用されている。デジタルカメラには光学レンズを有する撮影レンズ鏡筒が具備されており、撮影レンズ鏡筒にはズーム機構を有するものが多くある。ズーム機構により光学レンズが光軸方向に移動し、広角から望遠領域まで画像を変化させて撮影することができる。
【０００３】
撮影レンズ鏡筒が繰出した状態では、カメラからレンズが大きく凸状になり、外部からの衝撃を受けることが多くある。前面から撮影レンズ鏡筒を押された場合、内部の動力伝達機構が容易に破壊されてしまうという問題がある。このような問題に対し、以下のように様々な提案がなされている。
【０００４】
特許文献１に動力伝達機構に設けられるギア構成の一部を示す。動力駆動源であるモーターからギアによって撮影レンズ鏡筒を駆動するが、ギアの一部にスリップギアを設けてギア列の破壊を防止するようにしている。ギアのスリップ機構の構成として金属軸にコイルスプリングを挿入し、２つのギアをスプリングにより密着させ、ワッシャで固定している。撮影レンズ鏡筒が前方から圧力を受けた時は２つのギアの密着が離れてギア同士がスリップし、ギアの歯自体の破壊が防止できる。
【先行技術文献】
【特許文献】
【０００５】
【特許文献１】特開2002-195313号公報
【発明の概要】
【発明が解決しようとする課題】
【０００６】
特許文献１ではコイルスプリングを使用してスリップギアを構成しているが、部品点数が多くナットをはめ込むなど、作業的にも負荷が多くなる。また、コイルスプリングをギア内部に入れなければならず、この分スリップギアの直径が大きくなってしまう。
【０００７】
近年カメラの小型化が進んでおり、小型で、組立容易であり、低コストで外部からの衝撃に対して強い撮影レンズ鏡筒が必要となっている。
【課題を解決するための手段】
【０００８】
ギア地板手段(11)と、前記ギア地板手段(11)に軸支され、ギア穴手段(101a)を具備する第一ギア手段(101)と、前記ギア穴手段(101a)に嵌合挿入されるギア軸手段(102b)を有する第二ギア手段(102)と、前記第一ギア手段(101)には第一斜歯手段(101b)を有し、前記第二ギア手段(102)には第二斜歯手段(102c)を有し、前記第一斜歯手段(101b)と前記第二斜歯手段(102c)は当接可能に保持され、前記第二ギア手段(102)に具備される当接軸(102a)をギアカバー手段(108)に挿入することにより保持し、
前記ギアカバー手段(108)上に具備される位置決め手段(108a)に位置決め可能にギア押圧手段(104)を保持し、前記ギア地板手段(11)に対し前記ギアカバー手段(108)及び前記ギア押圧手段(104)の両方を同時にビス固定され、前記ギア押圧手段(104)は前記当接軸(102a)を押圧することで第一ギア手段(101)と第二ギア手段(102)が一体的に回転し、所定トルク以上のトルクが伝達されたときに前記第一斜歯手段(101b)と前記第二斜歯手段(102c)が離間して前記第一ギア手段(101)と前記第二ギア手段(102)の動力伝達を解除し、前記ギアカバー手段(108)にはギアの回転を検出する光学検出手段(110)を具備し、前記ギア押圧手段(104)と前記当接軸(102a)との軸線とは不連続な位置に前記光学検出手段(110)を配置し、前記ギア押圧手段(104)には前記光学検出手段(110)が脱落しないように保持する光学検出保持手段(104a)が一体で具備される。
【発明の効果】
【０００９】
本発明によれば、動力伝達機構を大型化せず、少ない部品点数で構成することができる。
【図面の簡単な説明】
【００１０】
【図１】本発明の一実施例における動力伝達機構を具備する撮影レンズ鏡筒の斜視図である。
【図２ａ】本発明の一実施例における動力伝達機構の断面図である。
【図２ｂ】本発明の一実施例における動力伝達機構の断面図である。
【図３】本発明の一実施例における動力伝達機構の分解斜視図である。
【図４ａ】本発明の一実施例における撮影レンズ鏡筒の収納状態の断面図である。
【図４ｂ】本発明の一実施例における撮影レンズ鏡筒の繰出し状態の断面図である。
【図５】本発明の一実施例における撮影レンズ鏡筒の内部の斜視図である。
【図６】本発明の一実施例における撮影レンズ鏡筒の分解斜視図である。
【図７ａ】本発明の一実施例における撮影レンズ鏡筒を有する撮影装置の正面斜視図である。
【図７ｂ】本発明の一実施例における撮影レンズ鏡筒を有する撮影装置の背面図である。
【図８】本発明の一実施例における撮影レンズ鏡筒を有する撮影装置であるデジタルカメラの構成を示すブロック図である。
【発明を実施するための形態】
【００１１】
以下に、本発明の好ましい実施の形態を、添付の図面に基づいて詳細に説明する。
【００１２】
［実施例］
図７ａ、図７ｂには、本形態に係る撮影レンズ鏡筒を有する撮像装置としてデジタルカメラ２３が示されている。本実施例で示すデジタルカメラ２３は撮影倍率を変更できるズーム機構を有するカメラである。
【００１３】
図７ａは当該デジタルカメラ２３の正面斜視図である。図７ｂは当該デジタルカメラ２３の背面図である。図８には当該デジタルカメラ２３のブロック図を示している。
【００１４】
本形態のデジタルカメラ２３の正面には被写体の構図を決めるファインダ２１、測光測距を行う場合の光源の補助を行う補助光２０、ストロボ２２、撮影レンズ鏡筒１６が構成されている。
【００１５】
上面にはレリーズボタン１７、ズーム切換えスイッチ１８、電源切換えボタン１９が配置されている。
【００１６】
背面には操作ボタン２６，２７，２８，２９，３０，３１が配置され様々な機能切換えを行うことができる。ＬＣＤより成るディスプレイ（液晶手段）２５、ファインダ接眼部２４が配置されている。
【００１７】
ディスプレイ２４は、画像表示手段であり、メモリ３９に保存された画像データやメモリーカードから読み込んだ画像データを画面上に表示する。
【００１８】
制御部はＣＰＵ４５、ＲＯＭ４４、ＲＡＭ４６で構成され、バス４３を介してレリーズボタン１７、操作ボタン２６〜３１、ディスプレイ２５、メモリ３９、メモリーカードドライブ４１等の各種構成要素が接続されている。
【００１９】
バス４３を介して制御系と接続する駆動回路４２には、ズーム機構３２、フォーカス駆動機構７、シャッタ駆動機構３３、絞り駆動手段３５、ＣＣＤやＣＭＯＳ等の撮像素子１０、ストロボ２２が接続されており、制御系からの信号により各々の駆動を制御することになる。
【００２０】
ＲＯＭ４４には上述の各機能構成要素を制御するプログラムが記憶されている。ＲＡＭ４６には各制御プログラムに必要なデータが記憶されている。
【００２１】
アナログ信号処理手段３６では、取り込まれた画像データにアナログ処理を施し、Ａ／Ｄ変換部３７に出力する。Ａ／Ｄ変換部３７では取り込まれたアナログデータをデジタルデータに変換する。このデジタルデータをデジタル信号処理手段３８に出力し、ここでデジタルデータの処理を行う。最終的にデジタルデータはメモリ３９に記憶されることになる。
【００２２】
メモリ３９に記憶された画像データやメモリーカードドライブ４１に記憶されている画像データを圧縮伸張手段４０によって伸張処理を行い、その画像データを、バス４３を介してディスプレイ２５に表示させることができる。このディスプレイ２５上のデータを使用者が見ることで、その画像が不必要であると判断すると使用者は操作ボタン  ２６の操作によって消去することができる。
【００２３】
次に、本形態に係るデジタルカメラ２３に備えられた撮影レンズ鏡筒１６の構成に  ついて説明する。
【００２４】
図４ａは撮影レンズ鏡筒１６の収納状態の断面図を示している。図４ｂは撮影レンズ鏡筒１６の繰り出し状態の断面図を示している。図５は撮影レンズ鏡筒１６の内部に使用されている部品の斜視図である。図６は撮影レンズ鏡筒１６の分解斜視図である。撮影レンズ鏡筒１６の構成を以下に示す。
【００２５】
第一レンズ群１ｂには第一撮影レンズ手段１ａが保持されている。第一レンズ群１ｂの前方にはバリア群１が配置されている。第一レンズ群１ｂの背後には第二レンズ群２が配置され、第二レンズ群２の背後には第三レンズ群３が配置されている。第二レンズ群２には第二撮影レンズ手段２ｂが保持されている。第三レンズ群３はシャッタ部とレンズ保持部とに分かれており、第三レンズ保持部１３に第三撮影レンズ手段３ａが保持されており、その後方にシャッタ手段が設けられている。
【００２６】
第三レンズ群３の後方に防振レンズ群である第四レンズ群４が配置され、第四レンズ群４には第四撮影レンズ手段４ａが保持されている。第四レンズ群４の後方にフォーカスユニットである第六レンズ群６が配置されている。第六レンズ群６はフォーカスベース手段６とフォーカスレンズ５ａに分かれており、フォーカスレンズ５ａはフォーカスレンズ保持手段５に保持されている。
【００２７】
ここでは便宜の為、フォーカスレンズ５ａとレンズ手段５ａ、フォーカスレンズ保持手段５とレンズ保持手段５、フォーカスモーター手段７とレンズ駆動手段７を同一として扱うフォーカスベース手段６に固定されているフォーカスモーター手段７によりフォーカスレンズ保持手段５は光軸方向に移動して、カメラのピント合わせを行う。第二レンズ群２、第三レンズ群３、第四レンズ群４の外周に移動カム環８が配置されている。
【００２８】
移動カム環８内周に具備される複数のカム溝に追従することにより、第二レンズ群２、第三レンズ群３、第四レンズ群４が光軸方向に移動できる。また、移動カム環８の外周に具備されるカム溝により第一レンズ群１ｂが光軸方向に移動できるようになっている。
【００２９】
第一レンズ群１ｂの外周にバリア群１が配置されており、移動カム環８外周に設けられている第一レンズ群１ｂが追従するカム溝とは別のカム溝に追従できるようになっている。第一レンズ群１ｂとバリア群１との移動軌跡は異なっている。
【００３０】
移動カム環８の外周には固定カム環９が配置されており、固定カム環９の内周に具備されるカム溝により移動カム環８が光軸方向に移動できるようになっている。固定カム環９の外周には駆動環１４が配置され、その外周はカバー手段１２によって保護されている。第六レンズ群６は駆動環１４の内周に具備されるカム溝に追従するようになっている。固定カム手段９により直進規制される。
【００３１】
駆動環１４がズーム機構３２により固定カム環９の外周を回転することにより、第六レンズ群６はカム溝に沿って光軸方向に前後移動する。駆動環１４の回転に伴って移動カム環８自体も固定カム環９の内周で回転し、移動カム環８に具備される移動カム環フォロワ手段８ｂが固定カム環９の固定カム溝９ａに追従することで光軸方向に前後移動する。
【００３２】
移動カム環８の回転に伴って、バリア群１、第一レンズ群１ｂ、第二レンズ群２、第三レンズ群３、第四レンズ群４、第六レンズ群６が光軸方向に移動する。第六レンズ群６のフォーカスベースには直進規制手段６ｂが一体で具備されており、第三レンズ群３に接続されているシャッタ手段に一体で具備される被直進規制手段３ｂを保持するようになっている。
【００３３】
被直進規制手段３ｂは鞘形状をしており、この鞘の中に直進規制手段６ｂを挿入するようになっている。これら被直進規制手段３ｂと直進規制手段６ｂは対になって配置されている。
【００３４】
次に、被直進規制手段３ｂの鞘形状の外周部分には第四レンズ群直進規制手段３ｃが具備されており、第四レンズ群４に具備される第四レンズ群被直進規制手段４ｂが直進規制される。
【００３５】
第三レンズ群３に具備される第二レンズ群直進規制手段１３ａにより第二レンズ群２に具備される第二レンズ群被直進規制手段２ｃが直進規制される。第二レンズ群２に具備される第一レンズ群直進規制手段２ａにより第一レンズ群が直進規制される。移動カム環８の外周で、さらに第一レンズ群１ｂの外周に外筒手段８ａが固定できるようになっている。
【００３６】
移動カム環８に対し、外筒手段８ａは３か所のスナップフィットによって互いが固定されるようになっている。
【００３７】
次に、組立の順をおって、説明をする。まず、移動カム環８単体に対し、内部の各レンズ群の組み立てを行う。移動カム環８を固定カム環９へ組立を行う。
【００３８】
移動カム環８が固定カム環９に対し、固定カム環８の背面から組み込むようになっている。移動カム環８に具備される移動カム環フォロワ手段８ｂが固定カム環９に設けられている固定カム溝９ａに組み込みできるようになっている。
【００３９】
駆動環１４を組み込み、カバー筒１２で周囲の蓋をして、背後から撮像ユニット保持手段１１を背面から覆うようにして組み立てて蓋をする。この状態で、まだ組み立ては終わっていないが、内部の光軸合わせの為のレンズの調整を行うことができる。レンズの倒れや偏芯などをそろえて光学性能を良くする行為を行うことがある。
【００４０】
その後移動カム環８を繰出し方向に回転させて、繰出し側組立位相まで回転させる。そこで移動カム環８の外側のレンズ群である第一レンズ群１ｂを組み立て、さらにバリア群１を組み立てる。ここで、一旦収納方向に移動カム環８を回転させ繰出し側メカ端へ移動させる。
【００４１】
この状態で第一レンズ群１ｂと移動カム環８の外周に外筒手段８ａを組み込む。バリア手段１には先端にバリア羽根１ｄが具備され、図１ｂに示されるように撮影可能状態のときはバリア羽根１ｄが開口され、図１ａの収納時にはバリア羽根１ｄが閉鎖されるようになっている。
【００４２】
撮影レンズ鏡筒１６の最背面に撮像素子保持手段１５に保持された撮像素子１０が配置されている。撮影レンズ鏡筒１６は動力伝達機構であるズーム機構３２によって動作する。本実施形のズーム機構３２について図１〜図３を用いて詳細を説明する。
【００４３】
ズームモーター手段１０３がギア地板手段１１に固定されている。ギア地板手段１１は撮像ユニット保持手段１１を兼ねている。ズームモーター手段１０３に電力を供給することによってギア手段１０５が回転し、ギア手段１０５に連結するギア手段１０６が回転する。その次に接続する第二ギア手段１０２と第一ギア手段１０１は一体的に回転し、その後ギア手段１０７が回転し、駆動環１４を回転させることで撮影レンズ鏡筒１６全体を駆動させる。
【００４４】
それぞれのギアはギア地板手段１１とギアカバー手段１０８の間に封入されている。ギア手段１０５には位置検出羽根手段１０５ａが具備されており、ギアカバー手段１０８には位置検出手段１１０が具備されている。位置検出手段１１０は間にスリットを設けて光学的にスリットの間を通過したものを検出するようになっている、いわゆるフォトインタラプタである。ギア手段１０５が回転して位置検出羽根手段１０５ａが位置検出手段１１０のスリット部を通過することで、ズームモーター手段１０３の回転速度や回転数を検知し、撮影レンズ鏡筒１６の動作を制御する。
【００４５】
次にズーム機構３２に具備されるクラッチ機構について説明する。図３がクラッチ機構の分解斜視図である。本実施形ではクラッチ機構は第一ギア手段１０１と第二ギア手段１０２で構成される。第一ギア手段１０１はギア地板手段１１に組み込まれるが、内部にギア穴手段１０１ａが具備される。第二ギア手段１０２にギア軸手段１０２ｂが具備されており、ギア穴手段１０１ａにギア軸手段１０２ｂを挿入することにより、第一ギア手段１０１と第二ギア手段１０２が一体的に結合される。
【００４６】
図２、図３から分かるように第一ギア手段１０１には台形形状の第一斜歯手段１０１ｂ、第二ギア手段１０２には同様に台形形状の第二斜歯手段１０２ｃが一体で設けられており、第一斜歯手段１０１ｂと第二斜歯手段１０２ｃが噛み合うことによって、第一ギア手段１０１と第二ギア手段１０２が一体的に回転する。
【００４７】
第二ギア手段１０２には当接軸１０２ａが具備され、ギアカバー手段１０８に軸支されている。ギアカバー手段１０８に具備されている２つの位置決め手段１０８ａにギア押圧手段１０４が位置決め保持されて、当接軸１０２ａをズーム地板１１方向に抑えつけている。ギア押圧手段１０４はギアカバー手段１０８及びギア押圧手段１０４とともにギア地板に対し、ネジ固定手段１０９で固定されている。
【００４８】
ギア押圧手段１０４により第一ギア手段１０１と第二ギア手段１０２はギア地板手段１１に対し抑えつけられながら一体動作できるようになっており、ズームモーター手段１０３の動力が伝達できるようになっている。このとき第一斜歯手段１０１ｂと第二斜歯手段１０２ｃが回転方向に噛み合っており、第一ギア手段１０１と第二ギア手段１０２は一体で回転する。
【００４９】
また、ギア押圧手段１０４には光学検出手段１１０がギアカバー手段１０８から外れないように外れ防止の蓋形状の光学検出保持手段１０４ａが一体で具備されている。ギア押圧手段１０４のギアを押圧する部分とは二又に分離したところに光学検出保持手段１０４ａが配置されており、その分岐点にネジ固定手段１０９を配置しているのでギアの押圧力には影響を与えないようになっている。
【００５０】
通常では以上のように動力を伝達するが、カメラの使用時に撮影レンズ鏡筒１６の前方に衝撃が加わったときにはズーム機構３２が破壊しないようにクラッチ機構が作動するようになっている。撮影レンズ鏡筒１６の前方から衝撃が加わると駆動環１４が収納方向に回転し、ギア手段１７に回転力が与えられる。ギア手段１７が急激に大きなトルクで回転するため、第一ギア手段１０１も大きなトルクで回転する。この回転力がギア押圧手段１０４の押圧力よりある程度大きくなると、第一斜歯手段１０１ｂと第二斜歯手段１０２ｃの噛み合いにより第二ギア手段１０２がギア押圧手段１０４のばね力に抗してギアカバー手段１０８方向に浮き上がり、第一ギア手段１０１と第二ギア手段１０２の連結が外れ、第一ギア手段１０１が空転する。
【００５１】
そうすることで、ギア手段１０６とギア手段１０５には動力が伝達せずに、衝撃によるギア歯面の破損を防止できる。このときギア押圧手段１０４に具備される位置決め穴１０４ｂが、ギアカバー手段１０８の位置決め手段１０８ａから脱落しないように位置決め手段１０８ａを長くする必要があり、また、軸と穴が干渉しないように位置決め穴１０４ｂも長くする必要がある。
【００５２】
また、上記では第一ギア手段１０１にギア穴手段１０１ａ、第二ギア手段１０２にギア軸手段１０２ｂが具備されているが、それらを逆転させ、第一ギア手段にギア軸手段、第二ギア手段にギア穴手段が具備するとしても同様の効果が得られる。
【００５３】
以上の構成をとることで、少ない部品で衝撃により動力伝達機構であるズーム機構が破壊されないようにし、さらに光学検知手段を保持することができる。
【００５４】
以上、本発明の好ましい実施形態について説明したが、本発明はこれらの実施形態に限定されず、その要旨の範囲内で種々の変形及び変更が可能である。
【符号の説明】
【００５５】
１    バリア群
１ｂ  第一レンズ群
１ｃ  レンズ群開口部
１ｄ  バリア羽根
２    第二レンズ群
３    第三レンズ群
３ｂ  被直進規制手段
３ｃ  第四レンズ群直進規制手段
４    第四レンズ群
５    レンズ保持手段、第五レンズ群
５ａ  レンズ手段  
５ｂ  被回転規制手段
６    フォーカスベース手段、第六レンズ群
６ｂ  レンズ回転規制手段
６ｃ  脱落防止突起
６ｄ  直進ガイド手段
８    移動カム環
８ａ  外筒手段
８ｂ  移動カム環フォロア手段
８ｃ  カム突出部
８ｄ  第二群カム溝
８ｅ  カム凹部
９    固定カム環
１０  撮像素子
１１  撮像ユニット保持手段
１５  撮像素子保持手段
１０１  第一ギア手段
１０１ａ  ギア穴手段
１０１ｂ  第一斜歯手段
１０２  第二ギア手段
１０２ａ  当接軸
１０２ｃ  第二斜歯手段
１０２ｂ  ギア軸手段
１０４  ギア押圧手段
１０４ａ  光学検出保持手段
１１０  光学検出手段
【図１】
2015125312.tif 000003
【図２ａ】
2015125312.tif 000004
【図２ｂ】
2015125312.tif 000005
【図３】
2015125312.tif 000006
【図４ａ】
2015125312.tif 000007
【図４ｂ】
2015125312.tif 000008
【図５】
2015125312.tif 000009
【図６】
2015125312.tif 000010
【図７ａ】
2015125312.tif 000011
【図７ｂ】
2015125312.tif 000012
【図８】
2015125312.tif 000013